(57)【要約】【課題】コーン粒を安全で、容易に、効率よく、芯から取り外して食することができるようにする。【解決手段】コーンカッターの刃体１について、その断面が三日月状で三日月状の断面方向又は曲げ方向に刃を有する曲面板で形成する。【選択図】図１
2008161362.tif 000002
【特許請求の範囲】
【請求項１】
刃体の断面が三日月状の曲面板であるコーンカッター
【請求項２】
刃体の断面が三日月状の曲面板の三日月状の断面方向を刃とする請求項１記載のコーンカッター
【請求項３】
刃体の断面が三日月状の曲面板の曲げ方向を刃とする請求項１記載のコーンカッター
【請求項４】
刃が鋸歯状である請求項１、２又は３記載のコーンカッター
【請求項５】
刃が波状である請求項１、２又は３記載のコーンカッター
【発明の詳細な説明】
【技術分野】
【０００１】
本発明は、コーンカッターに関するものである。
【背景技術】
【０００２】
コーンの粒を芯から取り外して食する場合、歯が丈夫である者は歯で噛み取ることができるが、歯が丈夫でない者は芯の表面に付いている粒を指で取るか、スプーンなどを使って取り外していた。料理の食材として使用するため、コーンの粒を芯から取り外す場合、包丁やナイフを使って切り取っていた。また、円筒状に巻回された板状のスクレーパや先端をＶ形にカットしたとい状のスプーンが考案されている。
【０００３】
【特許文献１】特開２００４-２７５２４４号公報
【特許文献２】実開平７-９１８０号公報
【発明の開示】
【発明が解決しようとする課題】
【０００４】
従来、コーンの粒を芯から取り外す方法としては、歯が丈夫である者は歯で噛み取ったり、歯が丈夫でない者は芯に付いている粒を指で取ったり、指をいためるおそれがあれば、スプーンなどを使ったりしたがうまく取り外すことは容易ではなかった。料理の食材として使用するためコーンの粒を取り外す場合、包丁やナイフを使って切り取る方法では粒の根元部分ではなく、中途部分を切ってしまい、無駄を生じることがある。また、コーン本体の周囲を囲む形の円筒状に巻回された板状のスクレーパは、コーン本体の大きさと必ずしも合致せず、使いやすいものではないし、先端をV形にカットしたとい状のスプーンは、多数の粒を取り外すためには時間がかかる。
【０００５】
本発明は、このような点に鑑みてなされたものであり、その目的は従来のコーンの粒を芯から取り外す方法について有していた問題を解決しようとするものであり、安全で、容易に、効率良く、コーンの粒を芯から取り外すことを目的としたものである。
【課題を解決するための手段】
【０００６】
本発明は、コーンカッターの刃体について、その断面が三日月状で三日月状の断面方向又は曲げ方向に刃を有する曲面板で形成している。
【０００７】
また、コーンカッターの刃体について、その断面が三日月状で三日月状の断面方向に刃を有する曲面板で形成してもよい。
【０００８】
また、コーンカッターの刃体についてその断面が三日月状で曲げ方向に刃を有する曲面板で形成してもよい。
【０００９】
また、コーンカッターの刃体に付する刃の形状は、鋸歯状のものでもよい。
【００１０】
また、コーンカッターの刃体に付する刃の形状は、波状のものでもよい。
【発明の効果】
【００１１】
上述のように、本発明のコーンカッターは、刃体の断面が三日月状の曲面板で形成しているので、コーンの粒を芯から取り外すため、コーンカッターの刃体をコーンの表面に当てる際に刃体をコーンの表面の曲面に添う状態となるように位置付けて、コーンカッターの刃体をコーンの表面に突き当て、刃体の刃先がコーンの芯の表面に達したら、刃先を芯の表面に沿わせて刃体を押し進めるとコーンの粒を芯から取り外すことができる。
【００１２】
したがって、本発明のコーンカッターを使用すれば、歯や指をいためることもなく、安全で効率的にコーンの粒を取り外すことができる。また、包丁やナイフを使って切り取る方法のように、コーンの粒の根元部分でなく中途部分を切り取ってしまうという無駄を生じることもない。また、円筒状に巻回された板状のスクレーパのように、コーンの大きさ、形とコーンカッターの刃体部分の大きさ、形の違いによる使いにくさもない。また、先端をＶ形にカットしたとい状のスプーンのように時間もかからない。
【発明を実施するための最良の形態】
【００１３】
以下、本発明の実施の形態を図面に基づき説明する。
【００１４】
図１は、本発明のコーンカッターの刃体１について、その断面が三日月状で三日月状の断面方向に刃２を有する曲面板で形成したものにかかるものであり、その斜視図である。
【００１５】
図１に示すように、本コーンカッターは、刃体１の断面が三日月状の曲面板の断面方向に刃２を有しており、その刃体１に柄３を付したものである。
【００１６】
図２は、本発明のコーンカッターの刃体１について、その断面が三日月状で曲げ方向に刃２を有する曲面板で形成したものにかかるものであり、その斜視図である。
【００１７】
図２に示すように、本コーンカッターは、刃体１の断面が三日月状の曲面板の曲げ方向に刃２を有しており、その刃体に柄３を付したものである。
【００１８】
以下、上記構成について説明する。コーンをまないた等の上に置き、一方の手でコーンをつかみ、もう一方の手で本コーンカッターの柄３を握る。
【００１９】
コーンカッターの刃体１について、その断面が三日月状で三日月状の断面方向に刃２を有する曲面板で形成したものの場合は、コーンカッターの刃体１をコーンの表面の曲面に添う状態となるように位置付けて、コーンカッターの刃体１をコーンの表面に突き当て、刃体１の刃先がコーンの芯の表面に達したら、刃先を芯の表面に沿わせてコーンカッターを押し進める。すなわち、コーンカッターをコーンの縦方向に押し進めるとコーンの粒を芯から取り外すことができる。
【００２０】
コーンカッターの刃体１について、その断面が三日月状で曲げ方向に刃２を有する曲面板で形成したものの場合は、コーンカッターの刃体１をコーンの表面の曲面に添う状態となるように位置付けて、コーンカッターの刃体１をコーンの表面に突き当て、刃体１の刃先がコーンの芯の表面に達したら、刃先を芯の表面に沿わせてコーンカッターを押し進める。すなわち、コーンカッターをコーンの横方向に押し進めるとコーンの粒を芯から取り外すことができる。
【００２１】
コーンカッターの刃２について、図３に示すように、鋸歯状の刃とすることもでき、コーンカッターを使用するに当たり、横すべりすることがない。
【００２２】
コーンカッターの刃２について、図４に示すように、波状の刃とすることもでき、コーンカッターを使用するに当たり、横すべりすることがない。
【００２３】
コーンカッターの柄３について、その形状は限定されるものではなく、また、刃体１のどの位置に取り付けるかも限定されるものではなく、また、刃体１に付する刃２の位置と柄３の取り付け位置又は柄３の形状により、コーンカッターを引いて使用し、又は押して使用するものとすることができる。
【図面の簡単な説明】
【００２４】
【図１】本発明のコーンカッターの刃体の断面が三日月状で三日月状の断面方向に刃を有する曲面板で形成したコーンカッターの斜視図である。
【図２】本発明のコーンカッターの刃体の断面が三日月状で曲げ方向に刃を有する曲面板で形成したコーンカッターの斜視図である。
【図３】本発明のコーンカッターの刃について、鋸歯状の刃としたコーンカッターの斜視図である。
【図４】本発明のコーンカッターの刃について、波状の刃としたコーンカッターの斜視図である。
【符号の説明】
【００２５】
１  刃体
２  刃
３  柄
【図１】
2008161362.tif 000003
【図２】
2008161362.tif 000004
【図３】
2008161362.tif 000005
【図４】
2008161362.tif 000006